(57)【要約】ＭｏｂｌｉｅＩＰｖ６の位置登録解除の手続きにおいて、移動通信端末(MN)において位置登録解除要求に対する応答が受信できない場合、位置管理装置(ＨＡ)もしくは移動通信端末の通信相手となる通信装置(ＣＮ)では位置登録解除処理が完了し、移動通信端末(ＭＮ)においては位置登録解除処理が完了できないため、通信の継続ができない。ＭＮ２５からＨＡ２３に対してＢＵ（ｓｅｑＮ）１５１を送信する。ここでＨＡ２３は、ＢＵ１５１を受信すると、どのような場合であってもＭＮ２５に対して必ずＢＡを送信するように制御する点に特徴がある。この場合において、ＨＡで位置登録解除処理１５８が完了しているかどうかと関係なくＭＮ２５からの位置登録解除のためのＢＵ１５７を受信した場合には、ＨＡ２３はＭＮ２５に対して、ＢＡ１６１を送信するように規定する。これにより、ＭＮ２５は、ＢＡを受信することにより、Ｂｉｎｄｉｎｇ  Ｕｐｄａｔｅ  Ｌｉｓｔを削除し、位置登録解除処理を完了することができる。次に、ＭＮは、ＨＡ/ＣＮからの位置登録解除の応答のＢＡに対して、位置登録解除処理の終了を示すメッセージを新たに送信する。ＨＡ/ＣＮはＭＮからの位置登録解除処理の終了を示すメッセージを受信することで、位置登録解除処理を行う。ＭＮは、ＨＡ/ＣＮにおいて位置登録解除処理が完了し、ＭＮにおいて終了していない異常状態を検知し、位置登録解除処理を完了する。
2007142085.tif 000002
【特許請求の範囲】
【請求項１】
移動通信端末と、該移動通信端末とネットワーク接続され該移動通信端末の位置の管理を行う位置管理装置と、前記移動通信端末の通信相手となる通信端末と、を有する通信システムであって、
前記位置管理装置における前記移動通信端末の位置登録解除処理が終了した状態であって該移動通信端末において位置登録解除処理が終了しない状態において、前記位置管理装置が、前記移動通信端末の位置登録解除要求を受付け該移動通信端末に対して位置登録解除の応答を通知することを特徴とする通信システム。
【請求項２】
移動通信端末と、該移動通信端末とネットワーク接続され該移動通信端末の位置管理を行う位置管理装置と、前記移動通信端末の通信相手となる通信端末と、を有する通信システムであって、
前記通信相手となる通信装置において前記移動通信端末の位置登録解除処理が終了し、該移動通信端末において位置登録解除処理が終了しない状態において、
前記通信相手となる通信装置は、前記移動通信端末の位置登録解除要求を受付け、該移動通信端末に対して解除の応答を通知することを特徴とする通信システム。
【請求項３】
前記位置登録解除要求の受付は、前記位置管理装置において前記位置登録解除処理が終了してから、前記移動通信装置から再送される可能性のある期間にのみ受付けることを特徴とする請求項１の通信システム。
【請求項４】
前記位置登録解除要求の受付は、前記通信装置において前記位置登録解除処理が終了してから、前記移動通信装置から再送される可能性のある期間にのみ受付けられることを特徴とする請求項２の通信システム。
【請求項５】
移動通信端末と、該移動通信端末とネットワーク接続され該移動通信端末の位置の管理を行う位置管理装置と、前記移動通信端末の通信相手となる通信端末と、を有する通信システムに含まれる位置管理装置であって、
前記移動通信端末の位置登録解除処理が終了した状態であって該移動通信端末において位置登録解除処理が終了しない状態において、該移動通信端末の位置登録解除要求を受付け該移動通信端末に対して位置登録解除の応答を通知することを特徴とする位置管理装置。
【請求項６】
移動通信端末と、該移動通信端末とネットワーク接続され該移動通信端末の位置管理を行う位置管理装置と、前記移動通信端末の通信相手となる通信端末と、を有する通信システムに含まれる通信装置であって、
前記通信相手となる通信装置において前記移動通信端末の位置登録解除処理が終了し、該移動通信端末において位置登録解除処理が終了しない状態において、前記通信相手となる通信装置は、前記移動通信端末の位置登録解除要求を受付け、該移動通信端末に対して解除の応答を通知することを特徴とする通信装置。
【請求項７】
移動通信端末と、該移動通信端末とネットワーク接続され該移動通信端末の位置管理を行う位置管理装置と、該移動通信端末の通信相手となる通信端末と、を有する通信システムに含まれる移動通信端末であって、
該移動通信端末の位置登録解除要求に対して前記位置管理装置が応答を通知するとともに位置登録解除処理を行い、該移動通信端末は応答を受けるとともに、
位置登録解除処理を完了したことを前記位置管理装置へ通知することを特徴とする移動通信端末。
【請求項８】
移動通信端末と、該移動通信端末とネットワーク接続され該移動通信端末の位置管理を行う位置管理装置と、該移動通信端末の通信相手となる通信端末と、を有する通信システムに含まれる移動通信端末であって、
該移動通信端末の位置登録解除要求に対して通信相手となる通信端末が応答を通知するとともに位置登録解除処理を行い、応答を受けるとともに位置登録解除処理を行い、位置登録解除処理を完了したことを通信相手となる通信装置へ通知することを特徴とする移動通信端末。
【請求項９】
移動通信端末と、該移動通信端末の位置管理を行う位置管理装置と、該移動通信端末の通信相手となる通信端末と、を有する通信システムであって、
前記移動通信端末において、位置登録解除要求を通知してから位置登録解除処理を完了する間に、該移動通信端末が通信相手へ送信する送信パケットに対して、パケットの送信元アドレスの示すネットワーク情報が送出されたリンクと合致しないことを理由とした異常の通知により、位置登録解除要求に対する応答を待つことなく前記移動通信端末が位置登録削除処理を完了することを特徴とする通信システム。
【請求項１０】
移動通信端末と、該移動通信端末とネットワーク接続され該移動通信端末の位置の管理を行う位置管理装置と、該移動通信端末の通信相手となる通信端末と、を有する通信システムにおける通信方法であって、
前記位置管理装置における前記移動通信端末の位置登録解除処理が終了した状態であって該移動通信端末において位置登録解除処理が終了しない状態において、前記位置管理装置が、該移動通信端末の位置登録解除要求を受付け該移動通信端末に対して位置登録解除の応答を通知するステップを有することを特徴とする通信方法。
【請求項１１】
移動通信端末と、該移動通信端末とネットワーク接続され該移動通信端末の位置管理を行う位置管理装置と、該移動通信端末の通信相手となる通信端末と、を有する通信システムにおける通信方法であって、
前記通信相手となる通信装置において前記移動通信端末の位置登録解除処理が終了し、該移動通信端末において位置登録解除処理が終了しない状態において、前記通信相手となる通信装置は、該移動通信端末の位置登録解除要求を受付け、該移動通信端末に対して解除の応答を通知するステップを有することを特徴とする通信方法。
【請求項１２】
移動通信端末と、該移動通信端末の位置管理を行う位置管理装置と、前記移動通信端末の通信相手となる通信端末と、を有する通信システムにおける通信方法であって、
前記移動通信端末において、位置登録解除要求を通知してから位置登録解除処理を完了する間に、該移動通信端末が通信相手へ送信する送信パケットに対して、パケットの送信元アドレスの示すネットワーク情報が送出されたリンクと合致しないことを理由とした異常の通知により、位置登録解除要求に対する応答を待つことなく該移動通信端末が位置登録削除処理を完了するステップを有することを特徴とする通信方法。
【請求項１３】
コンピュータに、請求項１０から１２までのいずれか１項に記載のステップを実行させるためのプログラム。
【請求項１４】
請求項１３に記載のプログラムを記憶するコンピュータ読み取り可能な記憶媒体。
【発明の詳細な説明】
【技術分野】
【０００１】
本発明は、通信技術に関し、特に、ノードの移動を制御する通信ネットワークにおける、移動ノード、位置管理ノードおよび移動ノードの通信相手となるノードの位置管理技術に関する。
【背景技術】
【０００２】
移動ノードを含む通信技術に関する一規格として、Ｍｏｂｉｌｅ  ＩＰｖ６規格が定められている。Ｍｏｂｉｌｅ  ＩＰｖ６規格は、ＩＥＴＦ（Internet Engineering Task Force）のｍｉｐ６ ＷＧで標準化されたＲＦＣ３７７５である。ＲＦＣ３７７５は、Ｍｏｂｉｌｅ ＩＰｖ６の仕様が定められている（非特許文献１参照）。【０００３】
図１は、Ｍｏｂｉｌｅ  ＩＰｖ６規格の基本モデルを示す図である。図１に示すように、基本モデルＡは、移動ノード（ＭＮ）２５と、ＭＮ２５の位置情報を管理するノードである位置管理装置（ＨＡ）２３とが設置されているリンクとして定義されるホームリンク１上のネットワーク内の一意なアドレスを持ち、ＭＮ２５の移動先として定義される他のフォーリンリンク、例えばフォーリンリンク３に矢印ＡＲ１で示すように移動する。【０００４】
ＭＮ２５の通信相手として通信装置ＣＮ２７が定義され、通信装置ＣＮ２７がリンク５に設置される。ホームリンク１、フォーリンリンク３及びリンク５は、ルータ１５、１７、２１を介してネットワーク７、１１により接続されている。【０００５】
図２は、アドレス構造を示す図であり、図２（ａ）はＨｏＡを、図２（ｂ）はＨＡのアドレスの構成を示す図である。図２（ａ）に示すように、ＨｏＡは、ＭＮ２５の持つ一意なアドレスはＨｏＡ（Home address）として定義され、ＨｏＡのネットワークプレフィックスは、ホームリンク１を表すネットワークプレフィックス部分３１と、ＭＮを識別するネットワーク上のホスト識別部分３３と、を有する。図２（ｂ）に示すように、ＨＡアドレスは、ホームリンク１を表すネットワークプレフィックス部分３５と、ＨＡを識別するネットワーク上のホスト識別部分３７と、を有する。ＨｏＡのネットワークプレフィックス３１はＨＡのアドレスが示すネットワークプレフィックス３５と同様である。【０００６】
次に、位置管理装置ＨＡへの位置登録処理のシーケンスついて説明する。ＭＮ２５は、図１に示すフォーリンリンク３へ接続すると、ＨＡ２３に対して位置登録が行われる。以下では、ＨＡ２３への位置登録はホームレジストレーション（Ｈｏｍｅ Ｒｅｇｉｓｔｒａｔｉｏｎ）と称す。図３は、ホームレジストレーションのシーケンスを示す図である。まず、ＭＮ２５が、フォーリンリンク３へ接続したことを検知する（移動検知４１）。ＭＮ２５は、フォーリンリンク３において移動先のリンクを示すネットワークプレフィックスとＭＮ２５を識別する情報とをもつアドレスを取得する（ＣｏＡ取得：４３）。このアドレスはＣｏＡ（Ｃａｒｅ-ｏｆ-ａｄｄｒｅｓｓ）と定義されている。図４は、ＣｏＡアドレス構造の構成を示す図である。図４に示すように、ＣｏＡアドレス構造は、フォーリンリンクを表すネットワークプレフィックス部分５５と、ＭＮを識別するネットワーク上のホスト識別部分５７と、を有する。ＭＮ２５は、ＨｏＡとＣｏＡとを含んだ位置情報をＢＵ（Ｂｉｎｄｉｎｇ Ｕｐｄａｔｅ）ｍｅｓｓａｇｅによりＨＡに対して送信し、位置登録を依頼する（４５）。ＨｏＡはＭＮ２５を識別する情報として使用され、ＣｏＡはＭＮ２５の移動先を識別する情報として使用される。【０００７】
次いで、ＨＡ２３は、ＢＵを受信し、確認のためにＢＡ（Ｂｉｎｄｉｎｇ Ａｃｋｎｏｗｌｅｄｇｅｍｅｎｔ）ｍｅｓｓａｇｅを返信する（４７）。ＨＡ２３は、ＢＡ送信後、ＭＮのＨｏＡ、ＣｏＡの情報を作成し（５３）、Ｂｉｎｄｉｎｇ Ｃａｃｈｅ Ｅｎｔｒｙで管理する。ＭＮ２５は、ＢＡ受信後、ＢＵの送信先であるＨＡ２３のアドレスと、端末ＨｏＡと位置ＣｏＡの情報とを含むＢｉｎｄｉｎｇ Ｕｐｄａｔｅ Ｌｉｓｔ（５１）により管理する。以上がホームレジストレーションの処理である。図５は、図１に示す構成における通信経路の候補を示す図である。図５に示すように、ＭＮ２５とＣＮ２７との間の通信には２つの経路が用いられる。ＣＮ２７へＭＮ２５の位置情報を登録する以前はＨＡ２３を介した通信を行い（Ｒ−１ａ、Ｒ−１ｂ）、ＣＮ２７への位置登録処理が終了するとＨＡ２３を介すことなく直接通信する(Ｒ―２)。【０００８】
図６は、ＣＮ２７への位置登録処理のシーケンスを示す図である。ＭＮ２５とＣＮ２７とは、ＨＡ２３を介した通信６１を行なっている。ここで、ＭＮ２５は、Ｈｏｍｅ Ｒｅｇｉｓｔｒａｔｉｏｎ終了後、ＨｏＡとＣｏＡとの含んだ情報をＢＵ（Ｂｉｎｄｉｎｇ Ｕｐｄａｔｅ）ｍｅｓｓａｇｅによりＣＮ２７へ送信し（６３）、位置登録を依頼する。ＢＵは、ＭｏｂｉｌｅＩＰＶ６で規定された位置の登録に用いるシグナリングメッセージであり、ＨｏＡとＣｏＡとを含む。ＢＡ（Ｂｉｎｄｉｎｇ Ａｃｋｎｏｗｌｅｄｇｅｍｅｎｔ Ｍｅｓｓａｇｅ）は、ＭｏｂｌｉｅＩＰｖ６で規定されたＢＵに対する応答に用いるシグナリングメッセージである。ＨｏＡはＭＮ２５を識別する情報として使用され、ＣｏＡはＭＮ２５の移動先を識別する情報として使用する。【０００９】
ＣＮ２７は、ＢＵを受信し、確認のためにＢＡ（Ｂｉｎｄｉｎｇ Ａｃｋｎｏｗｌｅｄｇｅｍｅｎｔ） Ｍｅｓｓａｇｅを返信する（６５）。ＣＮ２７は、ＢＡ送信後、ＭＮ２５のＨｏＡ、ＣｏＡの情報をＢｉｎｄｉｎｇ Ｃａｃｈｅ Ｅｎｔｒｙ６７で管理する。ＭＮ２５は、ＢＡ受信後、ＢＵの送信先であるＣＮ２７のアドレスと、送信したＨｏＡとＣｏＡとの情報をＢｉｎｄｉｎｇ Ｕｐｄａｔｅ Ｌｉｓｔ７１により管理する。【００１０】
その後、ＨＡ２３を介さない直接通信７３が行なわれる。以上が、ＣＮ２７への位置登録の処理となる。ＭＮ２５の移動検知から位置登録処理が終了するまでは、ＭＮ２５とＣＮ２７とはＨＡ２３を介した通信を行い、位置登録終了後は、ＭＮ２５とＣＮ２７とはＨＡ２３を介することなく直接通信を行う。【００１１】
次に、位置登録解除手法について説明を行なう。ＭｏｂｉｌｅＩＰｖ６で規定されている位置登録の解除のシーケンスにおいて、移動ノードからの解除要求を受け付ける位置管理ノードおよび通信相手となるノードは、解除処理終了後においても解除要求を受付け、移動ノードに対して応答を行う。ＭＮ２５は、以下の条件おいてＨＡ２３に対して位置登録の解除を要求する。【００１２】
ホームリンクへの移動時において、ＭＮ２５はＨＡ２３に対してＢＵを送る。フォーリンリンクにおいてＭｏｂｌｉｅＩＰｖ６のＭＮ２５としての振る舞いを停止し、通常のＩＰｖ６ノードとして振舞う時における位置登録解除のシーケンスを図７に示す。図７に示すように、まず、ＭＮ２５がホームリンクへ移動すると（８１）、ＭＮ２５はＨＡ２３に対して位置登録解除を示す情報を付加したＢＵを送信する（８３）。ＨＡ２３は、ＢＵ８３に対してＢＡ８５を応答する。ＨＡ２３は、ＭＮ２５に対するBinding Cache Entryを削除する（８７）。ＭＮ２５は、ＢＡを受信し、ＨＡに対するBinding Update Listを削除する（９１）。以上がＨＡ２３に対する位置登録解除の処理である。【００１３】
尚、ＭＮは、以下の条件（タイミング）においてＣＮへ位置登録の解除を要求することができる。【００１４】
１）ホームリンクへの移動時、
２）フォーリンリンクにおいて、ＭＮとＣＮとがＨＡを介することなく直接通信を行っている任意のタイミング。【００１５】
また、位置登録解除のシーケンスは、ＨＡに対して行う場合と同様に、ＢＵおよびＢＡを送受信し、ＭＮに対するＢｉｎｄｉｎｇ Ｃａｃｈｅ ＥｎｔｒｙおよびＣＮに対するＢｉｎｄｉｎｇ Ｕｐｄａｔｅ Ｌｉｓｔを削除することにより行なわれる。
【非特許文献１】RFC3775 Mobility Support in IPv6，RFC3776 Using IPsec to Protect Mobile IPv6 Signaling between Mobile Nodes and Home Agents
【発明の開示】
【発明が解決しようとする課題】
【００１６】
図８は、位置登録の解除（ｄｅ−ｒｅｇｉｓｔｒａｔｉｏｎ）の以上処理の例を示すシーケンス図である。ＭＮ２５がＢＵを送信しＢＡを受信しない場合は、ＢＵを再送することが定められている。一度目の再送はＢＵの受信の１秒後であり、その後は、ある一定時間まで、再送し続けることが規定されている。【００１７】
この処理に関連する異常処理の一例として、以下の条件の場合について説明する。【００１８】
１）ＭＮの送信するＢＵがＨＡ/ＣＮへ到達しなかった場合、
２）ＨＡ/ＣＮにおいてＢＡを送信する前にＭＮからの再送のＢＵを受信した場合。【００１９】
上記のそれぞれの条件において、同様のシーケンスとなる。ＭＮとＨＡにおいてＭＮの送信したＢＵがパケットロスした場合のシーケンス図が図８である。まず、ＭＮ２５は、１度目のＢＵをＨＡ２３に送信する（１０１）。ＢＵにはシーケンス番号（ｓｅｑＮ）が含まれている。しかしながら、何らかの原因により、ＢＵ１０１はＨＡ２３に到達せずにロスしたと仮定する（ｌｏｓｓ）。ＭＮ２５は、ＢＡを受信していないため、ＢＵの送信（０１）から１秒後にシーケンス番号をインクリメントしてＢＵ（ｓｅｑＮ＋１）１０３を再送する（１０３）。ＨＡ２３は、再送されたＢＵ１０３を受信し、受信したシーケンス番号Ｎ＋１のＢＵに対してＢＡを返信する（１０５）。ＨＡ２３は、ＢＡ（ｓｅｑＮ＋１の確認）を送信した後にＭＮ２５に対するＢｉｎｄｉｎｇ Ｃａｃｈｅ Ｅｎｔｒｙを削除する（１０７）。ＭＮ２５は、ＢＡの受信後に、ＨＡ２３に対するＢｉｎｄｉｎｇ Ｕｐｄａｔｅ Ｌｉｓｔを削除する（１１１）。以上が、異常処理の一例のシーケンスである。この場合、ＭＮおよびＨＡにおいてそれぞれの登録解除処理が行われ、位置登録解除処理は終了する。この例においては、ＭＮとＨＡとに対する位置登録解除の異常例を示したが、ＣＮに対しても同様の処理となる。【００２０】
以下に、上記の処理において、問題が生じる異常処理例について説明する。ここで、問題となる異常処理の一例は、以下の条件の場合である。【００２１】
１）ＨＡ/ＣＮの送信するＢＡがＭＮに到達しなかった場合、
２）ＨＡ/ＣＮにおいてＢＡを送信してからＭＮへ到着するまでの間にＭＮによる再送のＢＵが送信された場合。【００２２】
それぞれの条件において同様のシーケンスとなる。ＭＮとＨＡにおいて、ＨＡの送信したＢＡがパケットロスしたシーケンス例を図９に示す。ＭＮ２５は、１度目のＢＵ（Ｎ）を送信する（１２１）。ＢＵにはシーケンス番号（Ｎ）が含まれている。ＨＡ２３は、１度目のＢＵを受信し、ＢＡ送信して応答する（１２３）。ＨＡ２３は、ＢＡ１２３を送信後、ＭＮ２５に対するＢｉｎｄｉｎｇ Ｃａｃｈｅ Ｅｎｔｒｙ１２５を削除する（１２５）。ＭＮ２５は、ＢＡ１２３を受信していないためシーケンス番号をインクリメントしてＢＵ（ＳｅｑＮ＋１）を再送する（１２７）。ＨＡ２３は、既に位置登録解除処理が完了し、Ｂｉｎｄｉｎｇ Ｃａｃｈｅ Ｅｎｔｒｙ１２５が削除されているため、再送されたＢＵに対して応答のＢＡを送信しない。以上のシーケンスにより、ＭＮ２５では、位置登録解除処理が終了せず、Ｂｉｎｄｉｎｇ Ｕｐｄａｔｅ Ｌｉｓｔを保持したままの状態となる。この例においては、ＭＮ２５とＨＡ２３に対する位置登録解除の異常例を示したが、ＣＮに対しても同様の処理となる。【００２３】
このように、ＨＡ／ＣＮにおいて位置登録解除処理が終了し、ＭＮ２５では終了していない状態では、以下のような問題が生じる。【００２４】
１）ＭＮ２５がホームリンクに移動時に、ＨＡ２３に対して異常シーケンスとなった場合
１-１）ＣＮからＭＮへＨＡを介して送信されるパケットについては、ＨＡ２３はＭＮ２５がホームリンクへ移動完了していると判断するため、転送されず、ＭＮ２５はパケットを受信できない。【００２５】
１−２）ＭＮからＣＮへＨＡを介して送信されるパケットに関しては、ＭＮはフォーリンリンクにいると判断する。しかし、フォーリンリンクからの送信方法では送信できない場合や送信した場合でもＨＡへ到達した時点で異常を示すメッセージがＭＮへ送られ、ＣＮへ到達しない。【００２６】
１−３）ＣＮからＭＮへＨＡを介さずに送信されるパケット
ＣＮはＭＮがホームリンクへ移動しているとは判断しないため、移動前のフォーリンリンクへ送信するが、ＭＮはこれを受信できない。【００２７】
１−４）ＭＮからＣＮへＨＡを介さずに送信されるパケット
ＭＮはフォーリンリンクにいると判断する。しかし、フォーリンリンクからの送信方法では送信できない場合や送信した場合でもＨＡもしくはルータから異常を示すメッセージがＭＮへ送られ、ＣＮへ到達しない。【００２８】
２）ＭＮがフォーリンリンクにおいて、ＨＡに対して異常シーケンスとなった場合
２−１）ＣＮからＭＮへＨＡを介して送信されるパケットについては、上記１−１）と同様の問題が生じる。【００２９】
２−２）ＭＮからＣＮへＨＡを介して送信されるパケットについては、上記１−２）と同様の問題が生じる。【００３０】
２−３）ＣＮからＭＮへＨＡを介さずに送信されるパケットについては、正常に送受信を行うことができ、特に問題とならない。【００３１】
２−４）ＭＮからＣＮへＨＡを介さずに送信されるパケットについては、正常に送受信を行うことができ、問題とはならない。【００３２】
３）ＭＮがホームリンクに移動時に、ＣＮに対して異常シーケンスとなった場合
３−１）ＣＮからＭＮへＨＡを介して送信されるパケットについては、正常に送受信を行うことができ、問題とならない。【００３３】
３−２）ＭＮからＣＮへＨＡを介して送信されるパケットについては、正常に送受信を行うことができ、問題とならない。【００３４】
３−３）ＣＮからＭＮへＨＡを介さずに送信されるパケットについては、ＣＮは、ＭＮがホームリンクへ移動したと判断し、この経路を用いてパケットは送信しないため、問題とならない。【００３５】
３−４）ＭＮからＣＮへＨＡを介さずに送信されるパケットについては、ＭＮはホームリンクにいると判断する。しかし、ＣＮに対しては位置登録解除処理が完了していないため、フォーリンリンクでの送信方法で送信を試みる。フォーリンリンクからの送信方法では送信できない場合や送信した場合でもＨＡもしくはルータから異常を示すメッセージがＭＮへ送られ、ＣＮへ到達しない。【００３６】
４）ＭＮがフォーリンリンクにおいて、ＣＮに対して異常シーケンスとなった場合
４−１）ＣＮからＭＮへＨＡを介して送信されるパケットについては、正常に送受信を行うことができ、問題とならない。【００３７】
４−２）ＭＮからＣＮへＨＡを介して送信されるパケットについては、正常に送受信を行うことができ、問題とならない。【００３８】
４−３）ＣＮからＭＮへＨＡを介さずに送信されるパケットについては、ＣＮは、ＭＮがホームリンクへ移動したと判断し、この経路を用いてパケットは送信しないため、問題とならない。【００３９】
４−４）ＭＮからＣＮへＨＡを介さずに送信されるパケットについては、ＭＮはＣＮに対しては位置登録解除処理が完了していないため、フォーリンリンクでの送信方法で送信を試みる。送信したパケットはＣＮへ到達するが、ＣＮでは位置登録解除処理が終了しているため、ＨＡを介さずに送信されたパケットに対しては異常を示すメッセージを送信し、パケットは受信しない。【００４０】
以上に説明したように、位置登録処理の異常状態では、ＭＮとＣＮ間で通信が継続しない状況となるという問題がある。すなわち、ＢＡのパケットロスや、ネットワークの遅延、ＨＡ、ＭＮの処理時間等が要因で、このような異常シーケンスとなった場合、ＨＡはＢＡ送信後、Ｂｉｎｄｉｎｇ Ｃａｃｈｅ Ｅｎｔｒｙを削除し、ＭＮがホームリンク上に位置すると判断し、ＢＵ（ｓｅｑＮ＋１）の受信に対する処理を行わない。ＭＮはＢＡを受信できないため、ホームリンクへの移動処理が完了しないという問題がある。【００４１】
本発明は、上記問題を解決し、ＭＮとＣＮ間で通信が継続するようにすることを目的とする。
【課題を解決するための手段】
【００４２】
本発明は、以下の方法により上記課題を解決する。問題は、ＭＮにおいては位置登録解除の処理が終了せず、ＨＡおよびＣＮにおいては完了している状態となるために生じている。そこで、ｄｅ−ｒｅｇｉｓｔｒａｔｉｏｎのＢＵはいかなる場合も受信し、ＢＡを送信する。また、ｄｅ−ｒｅｇｉｓｔｒａｔｉｏｎのＢＵを受信後、再送されるかもしれないBUを一定時間受信可能とし、再送された場合にはＢＡを送信する構成とする。【００４３】
すなわち、
１）ＨＡが、ｄｅ−ｒｅｇｉｓｔｒａｔｉｏｎの処理によりＢｉｎｄｉｎｇ Ｃａｃｈｅ Ｅｎｔｒｙを削除後においてもｄｅ−ｒｅｇｉｓｔｒａｔｉｏｎのＢＵを受信し、ＢＡを応答する。【００４４】
２）ＣＮは、ｄｅ−ｒｅｇｉｓｔｒａｔｉｏｎの処理によりＢｉｎｄｉｎｇ Ｃａｃｈｅ Ｅｎｔｒｙを削除後においてもｄｅ−ｒｅｇｉｓｔｒａｔｉｏｎのＢＵを受信し、ＢＡを応答する。【００４５】
３）ＨＡ は、ｄｅ−ｒｅｇｉｓｔｒａｔｉｏｎの処理においてＢｉｎｄｉｎｇ Ｃａｃｈｅ Ｅｎｔｒｙを一定時間/恒久的に削除せず、その後のｄｅ−ｒｅｇｉｓｔｒａｔｉｏｎのＢＵ受信し、ＢＡを応答する。【００４６】
４）ＣＮ は、ｄｅ−ｒｅｇｉｓｔｒａｔｉｏｎの処理においてＢｉｎｄｉｎｇ Ｃａｃｈｅ Ｅｎｔｒｙを一定時間/恒久的に削除せず、その後のdｅ−ｒｅｇｉｓｔｒａｔｉｏｎのＢＵを受信し、ＢＡを応答する。
【発明の効果】
【００４７】
移動ノードの位置管理ノード／移動ノードの通信相手となるノードへの位置登録解除手続きにおいて、位置管理ノードもしくは通信相手となるノードにおいては位置登録解除処理が完了し、移動ノードにおいては位置登録解除処理が完了しない状態をなくすことができる。従って、位置登録解除処理が完了しない状態になることに起因して通信ができなくなることを防ぐことができるという効果がある。 
【図面の簡単な説明】
【００４８】
【図１】Ｍｏｂｉｌｅ  ＩＰｖ６規格の基本モデルを示す図である。
【図２】Ｍｏｂｉｌｅ  ＩＰｖ６規格の通信装置におけるアドレス構造を示す図であり、図２（ａ）はＨｏＡを、図２（ｂ）はＨＡのアドレスの構成を示す図である。
【図３】ホームレジストレーションのシーケンスを示す図である。
【図４】ＣｏＡアドレス構造の構成を示す図である。
【図５】図１に示す構成における通信経路の候補を示す図である。
【図６】ＣＮ２７への位置登録処理のシーケンスを示す図である。
【図７】フォーリンリンクにおいてＭｏｂｌｉｅＩＰｖ６のＭＮ２５としての振る舞いを停止し、通常のＩＰｖ６ノードとして振舞う時における位置登録解除のシーケンスを示す図である。
【図８】位置登録の解除（ｄｅ−ｒｅｇｉｓｔｒａｔｉｏｎ）の以上処理の例を示すシーケンス図である。
【図９】ＭＮとＨＡにおいて、ＨＡの送信したＢＡがパケットロスしたシーケンス例を示す図である。
【図１０】本発明の第１の実施の形態による通信装置によるシーケンスを示す図である。
【図１１】本発明の第２の実施の形態による通信装置によるシーケンスを示す図である。
【図１２】本発明の第３の実施の形態による通信装置によるシーケンスを示す図である。
【図１３】図１３（ａ）は、ＭＮの一構成例を示す機能ブロック図である。図１３（ｂ）は、ＨＡの一構成例を示す機能ブロック図である。
【図１４】ＣＮの一構成例を示す機能ブロック図である。
【符号の説明】
【００４９】
Ａ…Ｍｏｂｉｌｅ  ＩＰｖ６規格の基本モデル、１…ホームリンク、３…フォーリンリンク、５…リンク、１１，１７…ネットワーク、１５、１７、２１…ルータ、２３…位置管理装置（ＨＡ）、２５…移動ノード（ＭＮ）、２７…通信装置ＣＮ。
【発明を実施するための最良の形態】
【００５０】
本明細書において、ＭＮは移動ノード、ＨＡは位置管理ノード、ＣＮは 移動ノードの通信相手となるノード、ＭＮ、ＨＡはホームリンク上のネットワークアドレスを一意に持つ、フォーリンリンクは、ＭＮの移動先のリンクである。【００５１】
ＭＮの動作は、ネットワーク上で一意に識別されるIPv6アドレス（ＨｏＡ：Ｈｏｍｅ  Ａｄｄｒｅｓｓ）を持つ。移動先のネットワークで、位置を識別するＩＰｖ６アドレス（ＣｏＡ:Ｃａｒｅ ｏｆ Ａｄｄｒｅｓｓ）を取得する。ＣｏＡをＨＡへ通知することで位置を通知する。ＣＮとの通信が行われている場合、ＣｏＡをＣＮへ通知することで位置を通知する。位置登録を確認すると、ＣｏＡとＨｏＡの組をＨＡおよびＣＮ毎にＢｉｎｄｉｎｇ Ｕｐｄａｔｅ Ｌｉｓｔにより保持する。【００５２】
ＨＡの動作は、ＨＡはＭＮからの位置の登録により、ＣｏＡとＨｏＡとの組をＢｉｎｄｉｎｇ Ｃａｃｈｅ Ｅｎｔｒｙにより保持する。ＣＮの動作は、ＣＮはＭＮからの位置の登録により、ＣｏＡとＨｏＡとの組をＢｉｎｄｉｎｇ Ｃａｃｈｅ Ｅｎｔｒｙにより保持する。【００５３】
ＨＡへの位置登録の解除（Ｈｏｍｅ de-registration)の例としては、ＭＮは、ホームリンクへ移動すると、ＨＡに対して位置登録を解除する。ＣＮへの位置登録の解除(ｄｅ−ｒｅｇｉｓｔｒａｔｉｏｎ)の例としては、ＭＮは、ホームリンクに移動した場合や、ＭＮが判断する任意のタイミングでＣＮへの位置登録を解除する。【００５４】
ＨＡ/ＣＮは、位置登録解除処理が完了していても、ＭＮからの位置登録解除のためのＢＵを受信し、ＢＵに対する応答のＢＡを送信する。ＭＮはＢＡを受信することでＢｉｎｄｉｎｇ Ｕｐｄａｔｅ Ｌｉｓｔを削除し、位置登録解除処理を完了する。ＨＡ/ＣＮでのＢＵの受信に関して以下の方法がある。【００５５】
・位置登録解除のための一番目のＢＵを受信してから一定時間受信可能とし、その期間内に受信したＢＵに対してはＢＡを応答する。【００５６】
・第２の方法は、ＭＮから送信されたＢＵに対しては、いつでもＢＡを応答する方法である。【００５７】
図１０は、本発明の第１の実施の形態による通信装置によるシーケンスを示す図である。図１０に示すように、まず、ＭＮ２５からＨＡ２３に対してＢＵ（ｓｅｑＮ）１５１を送信する。ここでＨＡ２３は、ＢＵ１５１を受信すると、どのような場合であってもＭＮ２５に対して必ずＢＡを送信するように制御する点に特徴がある。この場合において、ＨＡで位置登録解除処理１５５が完了しているかどうかと関係なくＭＮ２５からの位置登録解除のためのＢＵ１５７を受信した場合には、ＨＡ２３はＭＮ２５に対して、ＢＡ１６１を送信するように規定する。これにより、ＭＮ２５は、ＢＡを受信することにより、Ｂｉｎｄｉｎｇ  Ｕｐｄａｔｅ  Ｌｉｓｔを削除し、位置登録解除処理を完了することができる。【００５８】
尚、図１０では、ＢＡを応答するための期間は、位置登録解除処理から一定時間内（例えば１秒以内）になっている。ＢＡを送信する場合にかかる制限を課しても良い。【００５９】
次に、ＭＮは、ＨＡ/ＣＮからの位置登録解除の応答のＢＡに対して、位置登録解除処理の終了を示すメッセージを新たに送信する。ＨＡ/ＣＮはＭＮからの位置登録解除処理の終了を示すメッセージを受信することで、位置登録解除処理を行う。ＭＮは、ＨＡ/ＣＮにおいて位置登録解除処理が完了し、ＭＮにおいて終了していない異常状態を検知し、位置登録解除処理を完了する。ＭＮによる異常状態の検知には、位置登録解除のシーケンスが開始され終了するまでの間で、以下の方法がある。【００６０】
１）ＣＮへのパケットが送出できない。【００６１】
２）ＨＡもしくはリンク上のルータから送信パケットに対して移動前のリンクの送信方法でパケットを送信していることを理由とした通知パケットがＭＮへ送信される。【００６２】
３）ＣＮから送信されたパケットの異常を通知される。【００６３】
図１１は、本発明の第２の実施の形態による通信装置によるシーケンスを示す図である。図１１に示すように、まず、ＭＮ２５からＨＡ２３に対してＢＵ（ｓｅｑＮ）１７１を送信する。ここでＨＡ２３は、ＢＵを受信すると（１７１）、どのような場合であってもＭＮ２５に対して必ずＢＡを送信するように制御する点に特徴がある。この場合において、ＨＡで位置登録解除処理が完了しているかどうかとは関係なく、ＭＮ２５からの位置登録解除のためのＢＵ１７１を受信した場合には、ＨＡ２３はＭＮ２５に対して、ＢＡ１７７を送信するように規定する。ＭＮ２５は、ＢＡを受信することにより、Ｂｉｎｄｉｎｇ  Ｕｐｄａｔｅ  Ｌｉｓｔを削除し（１８１）、位置登録解除処理を完了することができる（１８３：ＭＮ２５におけるＢｉｎｄｉｎｇ  Ｕｐｄａｔｅ  Ｌｉｓｔの削除、１８５：ＨＡ２３におけるＢｉｎｄｉｎｇ  Ｃａｃｈｅ  Ｅｎｔｒｙ  の削除）。【００６４】
尚、図１０、図１１では、ＢＡを応答するための期間は、位置登録解除処理から一定時間内（例えば１秒以内）になっている。ＢＡを送信する場合にかかる制限を課しても良い。【００６５】
次に、本発明の第３の実施の形態について図面を参照しながら説明を行う。ＢＡのパケットロスや、ネットワークの遅延、ＨＡ、ＭＮの処理時間等が要因で、ＭＮがＢＡを受信する前にＭＮが移動した場合、ＭＮは新たなリンクでＢＵを再送する。この再送するＢＵは、送信元のアドレスを新たなリンクで取得したＩＰアドレスによって送信する。【００６６】
ＨＡではＭＮの送信元のアドレスが位置管理するリンクとは異なること、位置登録情報が削除されていることで、エラーメッセージを送信する。エラーメッセージはＩＰｖ６やＭＩＰｖ６の仕様の範囲で実現されるＩＣＭＰエラーやBindingエラーが想定される。したがってＨＡのエラー通知は一般的な技術を利用して実現が可能である。ＭＮは、エラー通知を受信したことで、ＢＵＬを削除すると判断し、位置登録解除を完了する。この部分においてＭＮの拡張が実現されている。尚、このシーケンスはＨＡに関するものとして説明したが、ＣＮに対しても同様に適用できる。【００６７】
より詳細にシーケンスについて説明する。図１２に示すように、ＭＮ２５はＨＡ２３に対して、ＢＵ（ｓｅｑ  Ｎ）を送信する（１９１）。ＨＡ２３は、ＢＡ（ｓｅｑ  Ｎの確認）を送信するが（１９３）、このパケットが失われる（ｌｏｓｓ）。ＭＮ２５は、新たなリンクに移動する（１９５）。ＨＡ２３は、Binding Cache Entryの削除を行う。次いで、ＭＮ２５は、ＢＵ（ｓｅｑ  Ｎ＋１）をＨＡ２３に送る（２０１）。ＨＡ２３は、ＭＮ２５に対してエラー通知（２０３）を行う。エラー通知の例としては、ＩＣＭＰエラー、Bindingエラーなどである。エラー通知を受けると、ＭＮ２５は、Binding  Update  Listの削除を行う（２０５）。このように、移動通信端末において、位置登録解除要求を通知してから位置登録解除処理を完了する間に、移動通信端末が通信相手へ送信する送信パケットに対して、パケットの送信元アドレスの示すネットワーク情報が送出されたリンクと合致しないことを理由とした異常の通知により、位置登録解除要求に対する応答を待つことなく位置登録削除処理を完了する。このように、位置管理装置(HA)および移動通信端末の通信相手となる通信装置(CN)において、位置登録解除後においても移動通信端末の位置登録解除要求に対する応答を行うことで、移動通信端末(MN)の位置登録解除処理を完了する。【００６８】
尚、ＭＮ、ＨＡ、ＣＮの各装置の構成例について図面を参照しながら説明を行う。これらの構成は、上記各実施の形態に共通の構成である。図１３（ａ）は、ＭＮの一構成例を示す機能ブロック図である。ＭＮは、ＰＣ、ＰＤＡ、携帯電話機等のデバイスで、ＭＩＰｖ６のプロトコルスタックを実装した一般的な構成であり、ＭＮ２５は、Ｂｉｎｄｉｎｇ  Ｕｐｄａｔｅ  Ｌｉｓｔ２１１と、判定部２１３と、ネットワークインターフェース２１５と、を有している。判定部２１３は、Ｂｉｎｄｉｎｇ  Ｕｐｄａｔｅ  Ｌｉｓｔ２１１を削除するかどうかの判定を行う部分であり、この部分が本実施の形態における特徴部である。その他の、パケットの送受信を行うネットワークインターフェースや、Ｂｉｎｄｉｎｇ  Ｕｐｄａｔｅ  Ｌｉｓｔ２１１の構成は一般的な構成である。【００６９】
図１３（ｂ）に示すように、ＨＡ２３は、Ｂｉｎｄｉｎｇ Ｃａｃｈｅ Ｅｎｔｒｙ２２１と、判定部２２３と、ネットワークインターフェース（１）２２５、ネットワークインターフェース（２）２２７、を有している。このＨＡは、１以上のネットワークインターフェースを有するルータ装置であり、ＭＩＰｖ６のプロトコルスタックを実装した一般的な構成である。同様に、判定部２２３においてＢｉｎｄｉｎｇ  Ｃａｃｈｅ  Ｅｎｔｒｙ２２１を削除するか否かを判定する点が特徴点であり、パケットの送受信を行うネットワークインターフェース、Ｂｉｎｄｉｎｇ  Ｃａｃｈｅ  Ｅｎｔｒｙ２２１の構成は一般的である。【００７０】
図１４に示すＣＮ２７は、Ｂｉｎｄｉｎｇ  Ｃａｃｈｅ  Ｅｎｔｒｙ２３１と、判定部２３３と、ネットワークインターフェース２３５と、を有する。ＣＮ２７は、例えばＰＣ、ＰＤＡ等のデバイスであり、ＭＩＰｖ６のプロトコルスタックを実装した一般的な構成を有する。判定部２３３におけるＢｉｎｄｉｎｇ  Ｃａｃｈｅ  Ｅｎｔｒｙ２３１の削除に関する判定を行う構成が特徴である。パケットの送受信を行うネットワークインターフェース、Ｂｉｎｄｉｎｇ  Ｃａｃｈｅ  Ｅｎｔｒｙ２３１の構成は一般的なものである。【００７１】
以上に説明したように、本実施の形態による通信装置によれば、ＭＮのＨＡ/ＣＮへの位置登録解除手続きにおいて、ＨＡもしくはＣＮにおいては位置登録解除処理が完了しＭＮにおいては位置登録解除処理が完了しない状態をなくすことができるため、これに起因して通信ができなくなることを防ぐことができるという利点がある。
【産業上の利用可能性】
【００７２】
本発明は、通信装置に利用可能である。
【図１】
2007142085.tif 000003
【図２】
2007142085.tif 000004
【図３】
2007142085.tif 000005
【図４】
2007142085.tif 000006
【図５】
2007142085.tif 000007
【図６】
2007142085.tif 000008
【図７】
2007142085.tif 000009
【図８】
2007142085.tif 000010
【図９】
2007142085.tif 000011
【図１０】
2007142085.tif 000012
【図１１】
2007142085.tif 000013
【図１２】
2007142085.tif 000014
【図１３】
2007142085.tif 000015
【図１４】
2007142085.tif 000016
【手続補正書】
【提出日】平成19年11月9日(2007.11.9)
【手続補正１】
【補正対象書類名】特許請求の範囲
【補正対象項目名】全文
【補正方法】変更
【補正の内容】
【特許請求の範囲】
【請求項１】
移動通信端末と、該移動通信端末とネットワーク接続され該移動通信端末の位置の管理を行う位置管理装置と、前記移動通信端末の通信相手となる通信端末と、を有する通信システムであって、
前記位置管理装置における前記移動通信端末の位置登録解除処理が終了した状態であって該移動通信端末において位置登録解除処理が終了しない状態において、前記位置管理装置が、前記移動通信端末の位置登録解除要求を受付け該移動通信端末に対して位置登録解除の応答を通知することを特徴とする通信システム。
【請求項２】
移動通信端末と、該移動通信端末とネットワーク接続され該移動通信端末の位置管理を行う位置管理装置と、前記移動通信端末の通信相手となる通信端末と、を有する通信システムであって、
前記通信相手となる通信装置において前記移動通信端末の位置登録解除処理が終了し、該移動通信端末において位置登録解除処理が終了しない状態において、
前記通信相手となる通信装置は、前記移動通信端末の位置登録解除要求を受付け、該移動通信端末に対して解除の応答を通知することを特徴とする通信システム。
【請求項３】
前記第１の位置登録解除要求から一定時間内だけ、前記移動通信端末に対して位置登録解除の応答を行うことを特徴とする請求項１に記載の通信システム。
【請求項４】
前記移動通信端末の位置登録解除要求から一定時間内だけ、前記通信相手となる通信装置から前記移動通信端末に対して位置登録解除の応答を行うことを特徴とする請求項２に記載の通信システム。
【請求項５】
移動通信端末と、該移動通信端末とネットワーク接続され該移動通信端末の位置の管理を行う位置管理装置と、前記移動通信端末の通信相手となる通信端末と、を有する通信システムに含まれる位置管理装置であって、
前記移動通信端末の位置登録解除処理が終了した状態であって該移動通信端末において位置登録解除処理が終了しない状態において、該移動通信端末の位置登録解除要求を受付け該移動通信端末に対して位置登録解除の応答を通知することを特徴とする位置管理装置。
【請求項６】
移動通信端末と、該移動通信端末とネットワーク接続され該移動通信端末の位置管理を行う位置管理装置と、前記移動通信端末の通信相手となる通信端末と、を有する通信システムに含まれる通信装置であって、
前記通信相手となる通信装置において前記移動通信端末の位置登録解除処理が終了し、該移動通信端末において位置登録解除処理が終了しない状態において、前記通信相手となる通信装置は、前記移動通信端末の位置登録解除要求を受付け、該移動通信端末に対して解除の応答を通知することを特徴とする通信装置。
【請求項７】
移動通信端末と、該移動通信端末とネットワーク接続され該移動通信端末の位置管理を行う位置管理装置と、該移動通信端末の通信相手となる通信端末と、を有する通信システムに含まれる移動通信端末であって、
該移動通信端末の第１及び第２の位置登録解除要求に対して前記位置管理装置が応答を通知することにより前記移動通信端末において位置登録解除処理を行い、該移動通信端末から位置登録解除処理の終了通知を前記位置管理装置へ通知する場合に、
前記移動通信端末からの位置登録解除処理の要求を受信した場合には、位置管理装置において位置登録解除処理が終了しているか否かにかかわらず、前記位置管理装置に対して位置登録解除の応答を行うことを特徴とする移動通信端末。
【請求項８】
移動通信端末と、該移動通信端末とネットワーク接続され該移動通信端末の位置管理を行う位置管理装置と、該移動通信端末の通信相手となる通信端末と、を有する通信システムに含まれる位置管理装置であって、
該移動通信端末の位置登録解除要求に対して通信相手となる通信端末が応答を通知するとともに位置登録解除処理を行い、応答を受けるとともに位置登録解除処理を行うと、該移動通信端末において位置登録解除処理が終了しない状態においても、位置登録解除処理を完了したことを通信相手となる通信装置へ通知することを特徴とする移動通信端末。
【請求項９】
移動通信端末と、該移動通信端末の位置管理を行う位置管理装置と、該移動通信端末の通信相手となる通信端末と、を有する通信システムであって、
前記移動通信端末において、位置登録解除要求を通知してから位置登録解除処理を完了する間に、該移動通信端末が通信相手へ送信する送信パケットに対して、パケットの送信元アドレスの示すネットワーク情報が送出されたリンクと合致しないことを理由とした異常の通知により、位置登録解除要求に対する応答を待つことなく前記移動通信端末が位置登録削除処理を完了することを特徴とする通信システム。
【請求項１０】
移動通信端末と、該移動通信端末とネットワーク接続され該移動通信端末の位置の管理を行う位置管理装置と、該移動通信端末の通信相手となる通信端末と、を有する通信システムにおける通信方法であって、
前記位置管理装置における前記移動通信端末の位置登録解除処理が終了した状態であって該移動通信端末において位置登録解除処理が終了しない状態において、前記位置管理装置が、該移動通信端末の位置登録解除要求を受付け該移動通信端末に対して位置登録解除の応答を通知するステップを有することを特徴とする通信方法。
【請求項１１】
移動通信端末と、該移動通信端末とネットワーク接続され該移動通信端末の位置管理を行う位置管理装置と、該移動通信端末の通信相手となる通信端末と、を有する通信システムにおける通信方法であって、
前記通信相手となる通信装置において前記移動通信端末の位置登録解除処理が終了し、該移動通信端末において位置登録解除処理が終了しない状態において、前記通信相手となる通信装置は、該移動通信端末の位置登録解除要求を受付け、該移動通信端末に対して解除の応答を通知するステップを有することを特徴とする通信方法。
【請求項１２】
移動通信端末と、該移動通信端末の位置管理を行う位置管理装置と、前記移動通信端末の通信相手となる通信端末と、を有する通信システムにおける通信方法であって、
前記移動通信端末において、位置登録解除要求を通知してから位置登録解除処理を完了する間に、該移動通信端末が通信相手へ送信する送信パケットに対して、パケットの送信元アドレスの示すネットワーク情報が送出されたリンクと合致しないことを理由とした異常の通知により、位置登録解除要求に対する応答を待つことなく該移動通信端末が位置登録削除処理を完了するステップを有することを特徴とする通信方法。
【請求項１３】
コンピュータに、請求項１０から１２までのいずれか１項に記載のステップを実行させるためのプログラム。
【請求項１４】
請求項１３に記載のプログラムを記憶するコンピュータ読み取り可能な記憶媒体。
【請求項１５】
移動通信端末と、該移動通信端末とネットワーク接続され該移動通信端末の位置の管理を行う位置管理装置と、前記移動通信端末の通信相手となる通信端末と、を有する通信システムであって、
前記移動通信端末から前記位置管理装置に対して第１の位置登録解除要求がなされると、前記位置管理装置において位置登録解除処理が終了しているか否かと関係なく、前記移動通信端末からの次の第２の位置登録解除要求に対して前記移動通信端末に位置登録解除の応答を行うことを特徴とする通信システム。
【請求項１６】
移動通信端末と、該移動通信端末とネットワーク接続され該移動通信端末の位置管理を行う位置管理装置と、前記移動通信端末の通信相手となる通信端末と、を有する通信システムであって、
前記通信相手となる通信装置において前記移動通信端末の位置登録解除処理が終了し、該移動通信端末において位置登録解除処理が終了しない状態においても、前記通信相手となる通信装置は、前記移動通信端末の位置登録解除要求を受付けると、該移動通信端末に対して位置登録解除の応答を通知することを特徴とする通信システム。
【国際調査報告】
2007142085.tif 000017
2007142085.tif 000018
2007142085.tif 000019
2007142085.tif 000020
2007142085.tif 000021
2007142085.tif 000022